(57)【要約】【課題】円筒状容器に対する円柱状フィルターの脱着を容易に行え、しかも、空気清浄能力を高いものにすることができる構造の空気清浄機を提供する。【解決手段】円柱状フィルター２の外周部と円筒状容器３の内周部との間に隙間７が存在し、円柱状フィルター２の上方の容器３の周壁側に側方に開口する横向き吸込口１０が設けられると共に、容器３の天面側は封鎖され、ファン８を駆動することにより、空気が、前記横向き吸込口１０を通じて容器３に吸い込まれ、円柱状フィルター２を通過し、排気室５を通って、円筒状容器３の下端排気口６から容器外に排出されるようになされている。【選択図】      図１
2004298715.tif 000002
【特許請求の範囲】
【請求項１】
縦向きにした有底円筒状の容器内に同じく縦向きにした円柱状フィルターが収容され、
円柱状フィルターの下端面は受けに受けられて円柱状フィルターの下端面と円筒状容器の底面との間に排気室が形成され、該排気室に面して円筒状容器底面に排気口が設けられ、該排気口に排気ファンが設けられ、
円柱状フィルターの外周部と円筒状容器の内周部との間に隙間が存在し、
円柱状フィルターの上方の容器の周壁側に側方に開口する横向き吸込口が設けられると共に、容器の天面側は封鎖され、
ファンを駆動することにより、空気が、前記横向き吸込口を通じて容器に吸い込まれ、円柱状フィルターを通過し、排気室を通って、円筒状容器の下端排気口から容器外に排出されるようになされていることを特徴とする空気清浄機。
【発明の詳細な説明】
【０００１】
【発明の属する技術分野】
本発明は、屋内に設置されて空気中の埃や塵、有害化学物質等を除去するのに用いられる空気清浄機に関する。
【０００２】
【関連技術】
空気を清浄化するためのフィルターとして、図２（イ）に示すように、例えばシート状のフィルターを渦巻き状に巻いて形成した円柱状のフィルター５１が提供されている。そして、この円柱状フィルター５１を空気清浄機のフィルターとして用いるため、図２（ロ）に示すように、縦向きにした有底円筒状の容器５２内に同じく縦向きにした円柱状フィルター５１を収容し、円柱状フィルター５１の下端面を受け５３に受けさせて円柱状フィルター５１の下端面と円筒状容器５２の底面との間に排気室５４を形成し、該排気室５４に面して円筒状容器５２の底面に排気口５６が設け、該排気口に排気ファン５５を設け、ファン５５を駆動することにより、円柱状フィルター５１の上方より容器５２に吸い込まれた空気が円柱状フィルター５１内を通過し、排気室５４を通って、円筒状容器５２の下端排気口５６から外に排出されるようにした空気清浄機５８が考えられている。
【０００３】
【発明が解決しようとする課題】
しかしながら、上記のような構造の空気清浄機５８では、円筒状容器５２に対する円柱状フィルター５１の脱着容易性を良くしようとすると空気清浄能力を落としてしまい、空気清浄能力を高いものにしようとすると円柱状フィルター５１の脱着容易性が損なわれてしまうという問題があった。
【０００４】
即ち、図２（ハ）に示すように、円筒状容器５２に対する円柱状フィルター５１の脱着を容易にするため、フィルター５１としてその外径が円筒状容器５２の内径よりも少し小さいものを使用すると、確かに円柱状フィルター５１の脱着を容易に行うことができるようになる。しかしそのようにすると、ファン５５の駆動でフィルター５１の上方より吸い込まれる空気が、円柱状フィルター５１の内部を通過せずに、主として円柱状フィルター５１の外周部と円筒状容器５２の内周部との間の隙間５７を通じて排気室５４に吸い込まれてしまい、そのため、空気清浄能力が低くなってしまう。
【０００５】
一方、図２（ロ）に示すように、空気清浄能力を高くするため、円柱状フィルター５１としてその外径が円筒状容器５２の内径と同等程度のものを使用すると、円柱状フィルター５１の外周部と円筒状容器５２の内周部との間の隙間がなくなり、フィルター５１の上方より吸い込まれる空気は、主として円柱状フィルター５１の内部を通過して排気室５４に吸い込まれ、高い空気清浄能力を発揮することができる。しかしそのようにすると、円筒状容器５２内に円柱状フィルター５１を装填したり、取り出したりする脱着操作を行いにくくなる。
【０００６】
本発明は、上記のような問題点に鑑み、円筒状容器に対する円柱状フィルターの脱着を容易に行うことができ、しかも、空気清浄能力を高いものにすることができる構造の空気清浄機を提供することを課題とする。
【０００７】
【課題を解決するための手段】
上記の課題は、縦向きにした有底円筒状の容器内に同じく縦向きにした円柱状フィルターが収容され、
円柱状フィルターの下端面は受けに受けられて円柱状フィルターの下端面と円筒状容器の底面との間に排気室が形成され、該排気室に面して円筒状容器底面に排気口が設けられ、該排気口に排気ファンが設けられ、
円柱状フィルターの外周部と円筒状容器の内周部との間に隙間が存在し、
円柱状フィルターの上方の容器の周壁側に側方に開口する横向き吸込口が設けられると共に、容器の天面側は封鎖され、
ファンを駆動することにより、空気が、前記横向き吸込口を通じて容器に吸い込まれ、円柱状フィルターを通過し、排気室を通って、円筒状容器の下端排気口から容器外に排出されるようになされていることを特徴とする空気清浄機によって解決される。
【０００８】
この空気清浄機では、フィルターが円柱状で、容器が円筒状であり、フィルターの外周部と容器の内周部との間に隙間が存在しているので、円筒状容器に対する円柱状フィルターの脱着を容易に行うことができる。
【０００９】
しかも、円柱状フィルターの上方の容器の周壁側に側方に開口する横向き吸込口が設けられると共に、容器の天面側は封鎖され、ファンを駆動することにより、空気が、前記横向き吸込口を通じて容器に吸い込まれ、円柱状フィルターを通過するようになされているので、ファンの駆動で容器に吸い込まれた空気は円柱状フィルターの上端面の中心側に誘導されて、隙間側に向かう空気の流れが抑制され、円柱状フィルターを通過する空気の量を多くすることができて、空気清浄能力を高いものにすることができる。
【００１０】
【発明の実施の形態】
次に、本発明の実施形態を図面に基づいて説明する。
【００１１】
図１に示す実施形態の空気清浄機１において、２は円柱状フィルター、３は有底円筒状の容器であり、容器３内において、円柱状フィルター２の下端面は受け４に受けられ、円柱状フィルター２の下端面と円筒状容器３の底面との間に排気室５が形成され、該排気室５に面して円筒状容器３の底面に排気口６が設けられ、該排気口６に排気ファン８が設けられている。
【００１２】
円柱状フィルター２は、図２（イ）に示すように、例えばシート状のフィルターを渦巻き状に巻いて形成したものである。
【００１３】
そして、円柱状フィルターの外径は円筒状容器３の内径よりも小さく、円筒状容器３内に円柱状フィルター２を収容した状態で、円柱状フィルター２の外周部と円筒状容器３の内周部との間に隙間７が形成されるようになされている。
【００１４】
円筒状容器３の上端部には、逆カップ状の蓋９が取り付けられており、蓋９の周壁部分には、図１（ロ）に示すように、側方に開口する横向きの吸込口１０が周方向に間隔的に複数備えられ、これら吸込口１０…を通じて容器３内に室内の空気が吸い込まれるようになされており、容器３の天面側は封鎖されいる。
【００１５】
ファン８を駆動すると、円柱状フィルター２の上方の蓋９の横向き吸込口１０…を通じて容器３内に吸い込まれた室内空気が、円柱状フィルター２内を通過して浄化され、排気室５を通って、円筒状容器３の下端排気口６から容器３外に排出される。１２は脚部で、排気口６と室内とを連通するものである。
【００１６】
上記の空気清浄機１では、フィルター２が円柱状で、容器３が円筒状であり、フィルター２の外周部と容器３の内周部との間に隙間７が存在しているので、円筒状容器３に対する円柱状フィルター２の脱着は、図１（ハ）に示すように、蓋９を取り外した状態で、容器３の上端開口部を通じて抜き差しすることにより容易に行うことができる。
【００１７】
しかも、室内空気を吸い込む吸込口１０…が、逆カップ状の蓋９の取付けによって容器３の周壁側に側方に開口して備えられ、蓋９の天面側は封鎖されているため、ファン８の駆動により、室内空気は円柱状フィルター２の上端面の中心側に誘導され、そのため、円柱状フィルター２内を通じて隙間７に抜ける空気を少なくすることができて、空気清浄能力を高いものにすることができる。
【００１８】
【発明の効果】
本発明の空気清浄機は、以上のとおりのものであるから、円筒状容器に対する円柱状フィルターの脱着を容易に行うことができ、しかも、空気清浄能力を高いものにすることができる。
【図面の簡単な説明】
【図１】第１実施形態の空気清浄機を示すもので、図（イ）は断面側面図、図（ロ）は図（イ）のＩ−Ｉ線端面図、図（ハ）は円筒状容器への円柱状フィルターの装着方法を示す分解断面側面図である。
【図２】関連技術を示すもので、図（イ）は円柱状フィルターの斜視図、図（ロ）は空気清浄機の一例を示す断面側面図、図（ハ）は空気清浄機の他の例を示す断面側面図である。
【符号の説明】
１…空気清浄機
２…円柱状フィルター
３…円筒状容器
４…受け
５…排気室
６…排気口
７…隙間
８…ファン
１０…横向き吸込口
【図１】
2004298715.tif 000003
【図２】
2004298715.tif 000004